(57)【要約】【課題】既存のエレベータ設備に導入するのに適した、エレベータへの乗り込みを制限する装置を提供する。【解決手段】呼びボタン押下制限装置Ａ１は、エレベータの呼びボタン５１を覆い、呼びボタン５１から離れた退避位置、および呼びボタン５１側である方向ｚに進出して当該呼びボタン５１を押下する押下位置、をとるように変位可能な操作ボタン１と、操作ボタン１の動きを制限する操作ボタン制限機構２と、を備える。操作ボタン制限機構２は、操作ボタン１の上記退避位置から上記押下位置への変位を許可しないロック状態と、操作ボタン１の上記退避位置から上記押下位置への変位を許可するロック解除状態とを切り換えるように構成される。【選択図】図３
2014162643.tif 000002
【特許請求の範囲】
【請求項１】
エレベータの呼びボタンを覆い、上記呼びボタンから離れた退避位置、および上記呼びボタン側である第１方向に進出して当該呼びボタンを押下する押下位置、をとるように変位可能な操作ボタンと、
上記操作ボタンの動きを制限する操作ボタン制限機構と、を備え、
上記操作ボタン制限機構は、上記操作ボタンの上記退避位置から上記押下位置への変位を許可しないロック状態と、上記操作ボタンの上記退避位置から上記押下位置への変位を許可するロック解除状態とを切り換えるように構成されることを特徴とする、呼びボタン押下制限装置。
【請求項２】
上記操作ボタン制限機構は、上記操作ボタンが上記退避位置から上記押下位置に向かう移動経路において上記操作ボタンと当接して当該操作ボタンの移動を阻止するロック位置と、上記移動経路において上記操作ボタンと当接しないロック解除位置との間を移動可能なロック部材を備える、請求項１に記載の呼びボタン押下制限装置。
【請求項３】
上記操作ボタンは、上記第１方向に対して直角である第２方向に延びる回動軸周りに回動可能に支持されており、
上記操作ボタンは、上記押下位置から上記退避位置に向けて回動する方向への付勢力が付与される、請求項２に記載の呼びボタン押下制限装置。
【請求項４】
上記操作ボタン制限機構は、上記ロック部材を上記ロック位置と上記ロック解除位置との間で移動させるソレノイドを含んで構成されており、
上記ロック部材は、上記ソレノイドの非通電時にロック位置をとり、上記ソレノイドの通電時に上記ロック解除位置をとる、請求項２または３に記載の呼びボタン押下制限装置。
【請求項５】
上記ソレノイドの通電状態を示すための表示部をさらに備える、請求項４に記載の呼びボタン押下制限装置。
【請求項６】
上記操作ボタンには、上記第１方向に貫通する貫通孔が形成されている、請求項１ないし５のいずれかに記載の呼びボタン押下制限装置。
【請求項７】
上記操作ボタンおよび上記操作ボタン制限機構は、上記呼びボタンが設けられるインジケータプレートを覆うケース内に収容されており、
上記ケースには、上記インジケータプレートに設けられた切欠きに嵌めるための係止爪が設けられている、請求項１ないし６のいずれかに記載の呼びボタン押下制限装置。
【請求項８】
上記操作ボタンを上記ロック解除状態にするための信号を入力する信号入力手段と、
上記信号入力手段からの信号に基づき上記操作ボタン制限機構を上記ロック状態から上記ロック解除状態に切り換える制御部と、をさらに備える、請求項１ないし７のいずれかに記載の呼びボタン押下制限装置。
【発明の詳細な説明】
【技術分野】
【０００１】
本発明は、エレベータへの乗込みを制限するための装置に関し、特にエレベータの呼びボタンの押下を制限する装置に関する。
【背景技術】
【０００２】
集合住宅等においては、たとえば建物の共同玄関にオートロック方式が採用されている。オートロックの共同玄関において、居住者は自らオートロックを解除して建物内に入ることができる。訪問者については、たとえば各住戸との間で連携されたインターホンを用いて連絡をとって、居住者によってオートロックを解除してもらうことにより、建物内に入ることができる。居住者や訪問者は、建物内に入った後、ロビー階のエレベータ乗り場の呼びボタンを押すことによりかごが到着し、当該かごに乗り込んで目的階の住戸玄関前まで行くことができる。
【０００３】
このような集合住宅においては、共同玄関のオートロック解除の際に、居住者または居住者に許可された訪問者の後に続いて部外者が建物内に侵入する場合がある。この場合、当該部外者がエレベータ乗り場の呼びボタンを押すことにより、到着したかごに乗り込むことができ、部外者は住戸玄関前までの侵入が可能であるという問題があった。
【０００４】
このような問題に対して、たとえば部外者のエレベータへの乗込みを制限する手法が種々提案されている（たとえば、特許文献１を参照）。特許文献１においては、エレベータ乗り場にて、テンキー入力や非接触キーリーダーなどの入力装置に所定の入力があった場合に限り、エレベータのドアを開けるようにエレベータの運転を制御する装置が開示されている。このような手法によれば、部外者のエレベータへの乗込みを禁止することができる。かかるエレベータへの乗込み制限に係る装置は、一般に、新築時やエレベータの更新時などに導入される。
【０００５】
既存のエレベータ設備においても、上記のようエレベータの乗り込み制限に係る機能を付加したい場合がある。しかしながら、特許文献１に示されたエレベータへの乗込み制限装置は、エレベータ乗り場にテンキー入力や非接触キーリーダーなどの入力装置を設置する必要があり、また、入力装置への入力信号に基づいてエレベータの運転を制御するようにエレベータの制御プログラムを組み替える必要がある。したがって、既存のエレベータ設備に上述のような乗込み制限に係る機能を付加する場合、導入コストが高くついてしまう。
【０００６】
また、高齢者施設や病院などにおいては、各階のエレベータ乗り場においても、上述のような乗り込み制限の機能を付加したいといったニーズがある。各階のエレベータ乗り場に上述のような乗り込み制限装置を設置すると、導入コストがさらに高くついてしまうので、適切ではない。
【先行技術文献】
【特許文献】
【０００７】
【特許文献１】特開２００２−３４８０５３号公報
【発明の概要】
【発明が解決しようとする課題】
【０００８】
本発明は、上記した事情のもとで考え出されたものであって、既存のエレベータ設備に導入するのに適した、エレベータへの乗り込みを制限する装置を提供することを課題とする。
【課題を解決するための手段】
【０００９】
本発明によって提供される呼びボタン押下制限装置は、エレベータの呼びボタンを覆い、上記呼びボタンから離れた退避位置、および上記呼びボタン側である第１方向に進出して当該呼びボタンを押下する押下位置、をとるように変位可能な操作ボタンと、上記操作ボタンの動きを制限する操作ボタン制限機構と、を備え、上記操作ボタン制限機構は、上記操作ボタンの上記退避位置から上記押下位置への変位を許可しないロック状態と、上記操作ボタンの上記退避位置から上記押下位置への変位を許可するロック解除状態とを切り換えるように構成されることを特徴としている。
【００１０】
本発明の好ましい実施の形態においては、上記操作ボタン制限機構は、上記操作ボタンが上記退避位置から上記押下位置に向かう移動経路において上記操作ボタンと当接して当該操作ボタンの移動を阻止するロック位置と、上記移動経路において上記操作ボタンと当接しないロック解除位置との間を移動可能なロック部材を備える。
【００１１】
本発明の好ましい実施の形態においては、上記操作ボタンは、上記第１方向に対して直角である第２方向に延びる回動軸周りに回動可能に支持されており、上記操作ボタンは、上記押下位置から上記退避位置に向けて回動する方向への付勢力が付与される。
【００１２】
本発明の好ましい実施の形態においては、上記操作ボタン制限機構は、上記ロック部材を上記ロック位置と上記ロック解除位置との間で移動させるソレノイドを含んで構成されており、上記ロック部材は、上記ソレノイドの非通電時にロック位置をとり、上記ソレノイドの通電時に上記ロック解除位置をとる。
【００１３】
本発明の好ましい実施の形態においては、上記ソレノイドの通電状態を示すための表示部をさらに備える。
【００１４】
本発明の好ましい実施の形態においては、上記操作ボタンには、上記第１方向に貫通する貫通孔が形成されている。
【００１５】
本発明の好ましい実施の形態においては、上記操作ボタンおよび上記操作ボタン制限機構は、上記呼びボタンが設けられるインジケータプレートを覆うケース内に収容されており、上記ケースには、上記インジケータプレートに設けられた切欠きに嵌めるための係止爪が設けられている。
【００１６】
本発明の好ましい実施の形態においては、上記操作ボタンを上記ロック解除状態にするための信号を入力する信号入力手段と、上記信号入力手段からの信号に基づき上記操作ボタン制限機構を上記ロック状態から上記ロック解除状態に切り換える制御部と、をさらに備える。
【００１７】
本発明のその他の特徴および利点は、添付図面を参照して以下に行う詳細な説明によって、より明らかとなろう。
【図面の簡単な説明】
【００１８】
【図１】本発明に係る呼びボタン押下制限装置の一例を示す正面図である。
【図２】図１に示す呼びボタン押下制限装置の内部を示す図である。
【図３】図２のＩＩＩ−ＩＩＩ線に沿う断面図である。
【図４】操作ボタンの動作状態を示す図３と同様の断面図である。
【図５】ロック部材がロック解除位置をとるときの図２と同様の図である。
【図６】操作ボタンの動作状態を示す図３と同様の断面図である。
【図７】図２のＶＩＩ−ＶＩＩ線に沿う断面図である。
【図８】本発明に係る呼びボタン押下制限装置の他の例を示す正面図である。
【発明を実施するための形態】
【００１９】
以下、本発明の好ましい実施の形態につき、図面を参照して具体的に説明する。
【００２０】
図１〜図７は、本発明に係る呼びボタン押下制限装置の一例を示している。図１、図２に表れているように、本実施形態の呼びボタン押下制限装置Ａ１は、２つの操作ボタン１，１と、これら操作ボタン１，１の動きを制限するための操作ボタン制限機構２とを備え、エレベータ乗り場に設けられたインジケータプレート５に取り付けて使用されるものである。
【００２１】
インジケータプレート５には、エレベータのかごを呼ぶための呼びボタン５１が設けられている。図１に示されたインジケータプレート５は、たとえば建物の各階のエレベータ乗り場に設けられる場合を例に挙げており、行き先として上階と下階の２方面を区別して押すことができるように、２つの呼びボタン５１，５１が設けられている。
【００２２】
操作ボタン１および操作ボタン制限機構２は、ケース３に収容されており、このケース３がインジケータプレート５を覆うように取り付けられている。詳細は後述するが、本実施形態では、ケース３には４つの係止爪３３が設けられており、これら係止爪３３をインジケータプレート５に形成された切欠き５ａ（図７参照）に嵌めることにより、ケース３を取り付けることができる。なお、切欠き５ａは、メンテナンス時にインジケータプレート５を容易に取り外すために設けられている。
【００２３】
ケース３は、略直方体形状とされており、ベース体３１と、このベース体３１を覆うカバー体３２とを備えている。ベース体３１は、長矩形状の底壁３１１と、底壁３１１の周囲の適所から立ち上がる側壁３１２とを有する。ベース体３１には、その長手方向に並んで操作ボタン１，１が設けられている。底壁３１１には、一対ずつの起立壁３１３，３１３が設けられており、各操作ボタン１は、一対の起立壁３１３，３１３間に配置されている。底壁３１１には、操作ボタン１，１を出没させるための開口３１１ａ，３１１ａが形成されている。
【００２４】
操作ボタン１，１は、呼びボタン５１，５１を覆うように設けられている。各操作ボタン１は、呼びボタン５１から離れた退避位置（図３参照）と、呼びボタン５１側である方向ｚ（第１方向）に進出して呼びボタン５１を押下する押下位置（図６参照）とをとるように構成されている。
【００２５】
本実施形態においては、各操作ボタン１は、起立壁３１３の端部において回動軸Ｏ１周りに回動可能に支持されている。回動軸Ｏ１は、方向ｚに対して直角である方向ｘ（第２方向）に延びている。これにより、操作ボタン１は、回動軸Ｏ１周りの回動動作により、方向ｚにおいて変位可能である。
【００２６】
各操作ボタン１には、突出板部１１が設けられている。突出板部１１は、回動軸Ｏ１から離れた端部において、方向ｚおよび方向ｘのいずれにも直角である方向ｙに突出している。突出板部１１は、操作ボタン１の厚み方向（方向ｚ）の中間に設けられ、回動軸Ｏ１と平行である方向ｘに沿って延びている。
【００２７】
突出板部１１の適所には、圧縮コイルばね１２が設けられている。圧縮コイルばね１２は、操作ボタン１を押下位置から退避位置に向けて回動する方向（方向ｚの反対方向）への付勢力を付与するものであり、その一端が突出板部１１に固定されており、他端が底壁３１１に当接している。この圧縮コイルばね１２により、各操作ボタン１は、外力が加わらない状態において退避位置にある。一方、操作ボタン１の頂部が押されることにより、当該操作ボタン１が回動して方向ｚに変位すると、操作ボタン１の底部が開口３１１ａから出没する。このとき、操作ボタン１は、呼びボタン５１側に進出して当該呼びボタン５１を押下する押下位置にある。
【００２８】
各突出板部１１には、操作ボタン１の厚み方向（方向ｚ）に貫通するスリット１１１が形成されている。スリット１１１は、突出板部１１の方向ｘにおける中間にあり、後述するロック部材１２の係止部２１１が入り込む部分である。スリット１１１の意義については後述する。
【００２９】
図３に表れているように、本実施形態において、各操作ボタン１には、厚み方向（方向ｚ）に貫通する貫通孔１ａが形成されている。貫通孔１ａは、断面直径寸法が３ｍｍ程度と比較的小さいサイズとされている。貫通孔１ａの意義については後述する。
【００３０】
操作ボタン制限機構２は、各操作ボタン１の退避位置から押下位置への変位を許可しないロック状態と、各操作ボタン１の退避位置から押下位置への変位を許可するロック解除状態とを切り換えるように構成されており、本実施形態においては、ロック部材２１と、ソレノイド２２とを備えて構成されている。
【００３１】
図２に表れているように、ロック部材２１は、操作ボタン１の突出板部１１の外側（図２における右側）に位置しており、側壁３１２に隣接して方向ｘに延びるプレート状とされている。ロック部材２１には、操作ボタン１，１側に突出する係止部２１１，２１１が設けられている。各係止部２１１は、方向ｚ視において操作ボタン１の突出板部１１と重なる位置にある。係止部２１１，２１１の方向ｘにおける距離は、スリット１１１，１１１の方向ｘにおける距離と略同一である。
【００３２】
ロック部材２１の一端部は、ソレノイド２２の作動子２２１に連結されている。ロック部材２１は、作動子２２１の動きに応じて方向ｘに沿って移動させられ、ロック位置（図２参照）とロック解除位置（図５参照）との間を移動可能である。ロック部材２１の他端部には、引張コイルばね２３の一端部が連結されており、引張コイルばね２３の他端部は、シャフト２４を介して側壁３１２に支持されている。
【００３３】
ロック部材２１が図２に示したロック位置にあるとき、操作ボタン１のスリット１１１とロック部材２１の係止部２１１とは、方向ｚ視においてずれた位置にある。このため、操作ボタン１が退避位置から押下位置に向けて押されると、図４に表れているように、操作ボタン１が退避位置から押下位置に向かう移動経路において、操作ボタン１の突出板部１１がロック部材２１の係止部２１１と当接して操作ボタン１の移動が阻止される。突出板部１１が係止部２１１と当接するとき、操作ボタン１の底部は開口３１１ａから出没しておらず、呼びボタン５１が押下されることはない。このとき、操作ボタン制限機構２は、ロック状態にある。
【００３４】
ロック部材２１が図５に示したロック解除位置にあるとき、操作ボタン１のスリット１１１とロック部材２１の係止部２１１とは、方向ｚ視において重なる位置にある。このため、操作ボタン１が退避位置から押下位置に向けて押されると、図６に表れているように、突出板部１１のスリット１１１に係止部２１１が入り込み、操作ボタン１は押下位置まで押し込まれる。このように、操作ボタン１が退避位置から押下位置に向かう移動経路において、操作ボタン１の突出板部１１はロック部材２１の係止部２１１と当接しない。このとき、操作ボタン制限機構２は、ロック解除状態にある。
【００３５】
ソレノイド２２は、ロック部材２１をロック位置とロック解除位置との間で移動させるためのものである。ソレノイド２２の非通電時には、図２に表れているように、引張コイルばね２３の弾性復元力により作動子２２１が方向ｘ側に引き出され、ロック部材２１はロック位置をとる。このとき、上述したように、操作ボタン１によって呼びボタン５１が押下されることはない。一方、ソレノイド２２の通電時には、図５に表れているように、作動子２２１がソレノイド２２内部に引き込まれ、ロック部材２１はロック解除位置をとる。このとき、上述したように、操作ボタン１は押下位置まで押し込むことができる。
【００３６】
本実施形態において、ケース３内には、ソレノイド２２の通電状態を示すためのＬＥＤランプ３５（表示部）が設けられている。ＬＥＤランプ３５は、ベース体３１の底壁３１１に支持されており、ソレノイド２２の通電時にのみ点灯する。
【００３７】
図２に表れているように、ケース３に設けられる４つの係止爪３３は、左右（図２における方向ｙ）に対をなすとともに、左右の対が上下（図２における方向ｘ）に離間している。左右に対をなす係止爪３３，３３は、これらの基端部どうしが止めねじ３４によって連結されるとともに、先端側が側壁３１２の開口部分を通じて外部に突出している。図７によく表れているように、一方の係止爪３３の基端部には止めねじ３４のねじ部を挿通させる貫通孔３３１が形成されており、他方の係止爪３３の基端部には止めねじ３４のねじ部を螺合させるねじ孔３３２が形成されている。このような構成によれば、止めねじ３４を回すことにより、両係止爪３３，３３の先端部どうしの距離を調節することが可能である。
【００３８】
ケース３をインジケータプレート５に取り付ける際には、まず、止めねじ３４を緩めて、係止爪３３，３３の先端フック部をインジケータプレート５の切欠き５ａに臨ませる。次いで、止めねじ３４を締め付けて、係止爪３３の先端部を切欠き５ａに嵌め込む。このようにして、ケース３（ベース体３１）をインジケータプレート５に取り付けることができる。なお、止めねじ３４の操作は、カバー体３２を取り外した状態で行う。
【００３９】
カバー体３２は、長矩形状の頂壁３２１と、頂壁３２１の周囲の適所から立ち上がる側壁３２２とを有する。なお、頂壁３２１の外表面には、化粧板３２３が設けられている。頂壁３２１および化粧板３２３には、操作ボタン１，１の頂部が外方に臨む開口３２ａ，３２ａおよびＬＥＤランプ３５を外部から視認可能とするための透穴３２ｂが形成されている。カバー体３２のベース体３１への取り付けは、たとえば、頂壁３２１がベース体３１の底壁３１１に対向するように被せられる状態にて、ねじ止めなどの適宜手段によって行う。
【００４０】
本実施形態の呼びボタン押下制限装置Ａ１は、たとえば、高齢者施設や病院などに設置され、この呼びボタン押下制限装置Ａ１の設置場所に近接する壁面に配備されたコントローラ（図示略）によって制御される。呼びボタン押下制限装置Ａ１には、たとえば図示しない給電線や信号線が接続されており、操作ボタン制限機構２（ソレノイド２２）の制御は、上記コントローラからの制御信号に基づいて行われる。
【００４１】
上記コントローラは、たとえばテンキー入力装置や非接触キーリーダーなどの信号入力装置を備えており、エレベータ利用者による当該信号入力装置への入力信号に基づいて、操作ボタン制限機構２（ソレノイド２２）を制御する。信号入力装置に適正な信号が入力されると、当該信号入力装置からの信号に基づいて、上記コントローラは、操作ボタン制御機構２（ソレノイド２２）をロック状態からロック解除状態に切り換える。すなわち、上記コントローラは、ソレノイド２２の通電をオンにする制御信号を出力する。ソレノイド２２の通電時には、上述したように操作ボタン１を押下位置まで押し込むことにより、呼びボタン５１を押下することができる。ソレノイド２２への通電開始から所定時間が経過すると、ソレノイド２２への通電は遮断される。そして、操作ボタン制限機構２は、ロック解除状態からロック状態に戻る。ソレノイド２２の非通電時および通電時におけるロック部材２１や操作ボタン１の動作態様については、図２〜図６を参照して上述したとおりである。なお、上記コントローラは、たとえばマイクロコンピュータを含む電子回路によって構成され、操作ボタン制限機構２の制御を行うことが可能となっている。
【００４２】
次に、呼びボタン押下制限装置Ａ１の作用について説明する。
【００４３】
本実施形態の呼びボタン制限装置Ａ１（操作ボタン制限機構２）は、上述のように、エレベータの呼びボタン５１を押すことができないロック状態と、呼びボタン５１を押すことができるロック解除状態とを切り換えることができるように構成されている。そして、操作ボタン制限機構２がロック状態からロック解除状態に切り換わらない限り、操作ボタン１を押し込むことができない。このような構成によれば、ロック解除の権限を与える者を制限することにより、エレベータの乗り込みを制限することができる。たとえば、高齢者施設や病院などにおいては、所定の管理者にのみロック解除の権限を与えることにより、意図しない入居者や入院患者のエレベータ利用を防止することができる。
【００４４】
呼びボタン押下制限装置Ａ１によれば、エレベータの呼びボタン５１を覆うように装着することにより、エレベータへの乗り込み制限が可能となる。このため、エレベータの制御プログラムを変更することなく、既存のエレベータに対して比較的安価で乗り込み制限に係る機能を付加することができる。したがって、呼びボタン押下制限装置Ａ１は、既存のエレベータ設備に導入するのに適する。
【００４５】
操作ボタン制限機構２は、ロック位置とロック解除位置との間で移動可能なロック部材２１を備える。そして、ロック部材２１の位置を変更することにより、操作ボタン１の退避位置から押下位置への変位を許可しないロック状態と、操作ボタン１の退避位置から押下位置への変位を許可するロック解除状態とを切り換えることができる。このような構成によれば、操作ボタン制限機構２におけるロック状態とロック解除状態との切り換えについて、比較的簡単な構造によって実現することができる。
【００４６】
また、ロック部材２１のロック位置とロック解除位置との間の移動は、ソレノイド２２の非通電および通電を切り換えることによって適切に行うことができる。
【００４７】
さらに、本実施形態では、ソレノイド２２の通電状態を示すためのＬＥＤランプ３５が設けられている。このため、操作ボタン制限機構２がロック状態またはロック解除状態のいずれの状態にあるかについて、外部から容易に把握することができる。
【００４８】
操作ボタン１は、所定方向に延びる回動軸Ｏ１周りに回動可能に支持されるとともに、圧縮コイルばね１２によって押下位置から退避位置に向けて回動する方向への付勢力が付与されている。このような構成によれば、操作ボタン１について、退避位置と押下位置との間で変位可能としつつ、普段は退避位置をとらせることができる。
【００４９】
操作ボタン１には、厚み方向（方向ｚ）に貫通する貫通孔１ａが形成されている。これにより、操作ボタン制限機構２について、万一、何らかの不具合が生じてロック解除状態とすることができない場合でも、たとえば貫通孔１ａにピンを通して押し込むことにより、呼びボタン５１を押下することができる。
【００５０】
図８は、本発明に係る呼びボタン押下制限装置の他の例を示している。なお、同図におおいて、上記実施形態と同一または類似の要素には、上記実施形態と同一の符号を付しており、適宜説明を省略する。
【００５１】
本実施形態の呼びボタン押下制限装置Ａ２は、テンキー入力装置４と、制御部４１と、バッテリ４２とが追加的に設けられており、かかる点において上記実施形態の呼びボタン押下制限装置Ａ１と異なっている。テンキー入力装置４は、本発明でいう信号入力手段の一例であり、たとえば暗証番号を入力するためのものである。制御部４１は、テンキー入力装置４からの入力信号に基づき、操作ボタン制限機構２をロック状態からロック解除状態に切り換えるためのものである。バッテリ４２は、ソレノイド２２等の駆動電力を供給するものである。これら、テンキー入力装置４、制御部４１、およびバッテリ４２は、ケース３の内部に収容されている。テンキー入力装置４、制御部４１、バッテリ４２、およびソレノイド２２等は、給電線や信号線によって適宜接続されている。なお、テンキー入力装置４については、カバー体３２から各入力キーが出没しており、入力操作が可能とされている。
【００５２】
本実施形態の呼びボタン押下制限装置Ａ２においては、テンキー入力装置４への入力信号に基づいて、操作ボタン制限機構２（ソレノイド２２）を制御する。エレベータ利用者によってテンキー入力装置４に正しい暗証番号（適正な信号）が入力されると、テンキー入力装置４からの信号に基づいて、制御部４１は、操作ボタン制御機構２（ソレノイド２２）をロック状態からロック解除状態に切り換える。すなわち、制御部４１は、ソレノイド２２の通電をオンにする制御信号を出力する。ソレノイド２２の通電時には、上述したように操作ボタン１を押下位置まで押し込むことにより、呼びボタン５１を押下することができる。ソレノイド２２への通電開始から所定時間が経過すると、ソレノイド２２への通電は遮断される。そして、操作ボタン制限機構２は、ロック解除状態からロック状態に戻る。
【００５３】
本実施形態の呼びボタン制限装置Ａ２によれば、外部から制御信号や電力を供給する必要がないので、導入コストを削減することができる。
【００５４】
本発明に係る呼びボタン押下制限装置は、上述した実施形態に限定されるものではない。本発明に係る呼びボタン押下制限装置の各部の具体的な構成は、種々に設計変更自在である。
【００５５】
上記実施形態においては、２つの操作ボタン１，１を具備する場合を例に挙げて説明したが、これに限定されない。たとえば、集合住宅の共同玄関先のエレベータ乗り場においては、概して行き先として上階の呼びボタンのみを備えており、このような呼びボタンを対象として設置される呼びボタン押下制限装置については、１つの操作ボタンを具備する構成としてもよい。また、必要に応じて３つ以上の操作ボタンを具備する構成とすることもできる。
【００５６】
上記実施形態においては、呼びボタン押下制限装置Ａ１は、インジケータプレート５の切欠き５ａを利用して取り付けていたが、これに限定されない。呼びボタン押下制限装置の取り付けは、たとえば両面粘着テープやねじ固定などの他の手段を用いて行うことができる。また、必ずしもインジケータプレート５に対して取り付ける必要はなく、インジケータプレートが設けられた壁面に取り付けてもよい。
【符号の説明】
【００５７】
Ａ１，Ａ２    呼びボタン押下制限装置
Ｏ１      回動軸
ｘ        方向（第２方向）
ｙ        方向
ｚ        方向（第１方向）
１        操作ボタン
１ａ      貫通孔
１１      突出板部
１１１    スリット
１２      圧縮コイルばね
２        操作ボタン制限機構
２１      ロック部材
２１１    係止部
２２      ソレノイド
２２１    作動子
２３      引張コイルばね
２４      シャフト
３        ケース
３１      ベース体
３１１    底壁
３１１ａ    開口
３１２    側壁
３１３    起立壁
３２      カバー体
３２ａ    開口
３２ｂ    透穴
３２１    頂壁
３２２    側壁
３２３    化粧板
３３      係止爪
３３１    貫通孔
３３２    ねじ孔
３４      止めねじ
３５      ＬＥＤランプ（表示部）
４        テンキー入力装置（信号入力手段）
４１      制御部
４２      バッテリ
５        インジケータプレート
５ａ      切欠き
５１      呼びボタン
【図１】
2014162643.tif 000003
【図２】
2014162643.tif 000004
【図３】
2014162643.tif 000005
【図４】
2014162643.tif 000006
【図５】
2014162643.tif 000007
【図６】
2014162643.tif 000008
【図７】
2014162643.tif 000009
【図８】
2014162643.tif 000010